(57)【要約】【課題】端子ボックスを透光性絶縁基板の外縁部に配設する工程に要する時間の短縮化を図りながらも、端子ボックスの支持強度の向上を図る。【解決手段】透光性絶縁基板１１上に発電部が設けられ、この発電部を封止シート２，３によって被覆した太陽電池モジュールに対し、保持部７ａおよび取り付け部７ｂを有するボックス支持部材７を利用し、このボックス支持部材７の保持部７ａを封止材２，３の間に保持させ、ラミネート工程において封止材２，３を一体化させることで、この封止材２，３の間に保持部７ａを埋設した状態でボックス支持部材７を支持する。このボックス支持部材７の取り付け部７ｂに端子ボックス本体６を取り付けることで、前記透光性絶縁基板１１，４の外縁部に端子ボックスを配設する。【選択図】図７
2014027139.tif 000002
【特許請求の範囲】
【請求項１】
太陽電池モジュール用端子ボックスであって、
ボックス支持部材を備え、
前記ボックス支持部材は、太陽電池モジュールに保持される保持部と、端子ボックス本体が取り付けられる取り付け部とを備えることを特徴とする太陽電池モジュール用端子ボックス。
【請求項２】
請求項１に記載の太陽電池モジュール用端子ボックスにおいて、
前記保持部は、平板状または柱状であることを特徴とする太陽電池モジュール用端子ボックス。
【請求項３】
請求項１または２に記載の太陽電池モジュール用端子ボックスにおいて、
前記保持部は、凹み部または貫通部を備えることを特徴とする太陽電池モジュール用端子ボックス。
【請求項４】
透光性絶縁基板上に発電部が設けられた太陽電池モジュールであって、
前記発電部の少なくとも一部を被覆する封止材と、
前記発電部から電力を取り出すための端子ボックス本体と、
前記端子ボックス本体が取り付けられるボックス支持部材とを備え、
前記ボックス支持部材に備えられた保持部が前記封止材に保持され、前記端子ボックス本体が、前記ボックス支持部材に備えられた取り付け部に取り付けられて、前記透光性絶縁基板の外縁部に端子ボックス本体が配設されていることを特徴とする太陽電池モジュール。
【請求項５】
請求項４に記載の太陽電池モジュールにおいて、
前記ボックス支持部材の保持部は、封止材に埋設された状態で保持されていることを特徴とする太陽電池モジュール。
【請求項６】
請求項４または５に記載の太陽電池モジュールにおいて、
前記封止材の一部は、前記透光性絶縁基板の外縁から外側へ延出して、前記透光性絶縁基板の端面と前記ボックス支持部材との間に介在されていることを特徴とする太陽電池モジュール。
【請求項７】
請求項４〜６のうち何れか一つに記載の太陽電池モジュールにおいて、
前記封止材上には前記透光性絶縁基板とは別の裏面側絶縁基板が重ねられており、
前記封止材の一部は、前記裏面側絶縁基板の外縁から外側へ延出して、前記裏面側絶縁基板の端面と前記ボックス支持部材との間に介在されていることを特徴とする太陽電池モジュール。
【請求項８】
請求項４〜７のうち何れか一つに記載の太陽電池モジュールにおいて、
前記ボックス支持部材の取り付け部には、前記端子ボックス本体が係合される係合部が設けられていることを特徴とする太陽電池モジュール。
【請求項９】
請求項４〜８のうち何れか一つに記載の太陽電池モジュールにおいて、
前記ボックス支持部材の取り付け部は、平板状であり、前記端子ボックス本体は、前記取り付け部が挿入される凹陥部を備え、この端子ボックス本体の凹陥部にボックス支持部材の取り付け部が挿入されていることを特徴とする太陽電池モジュール。
【請求項１０】
請求項９に記載の太陽電池モジュールにおいて、
前記端子ボックス本体の凹陥部と前記ボックス支持部材の取り付け部との間には、これら両者の接着力を高める接着材料が充填されていることを特徴とする太陽電池モジュール。
【請求項１１】
請求項４〜１０のうち何れか一つに記載の太陽電池モジュールにおいて、
前記ボックス支持部材の保持部には、凹み部または貫通部が形成されており、この凹み部または貫通部により、前記封止材が流れ込む空間部が形成されていることを特徴とする太陽電池モジュール。
【請求項１２】
請求項４〜１１のうち何れか一つに記載の太陽電池モジュールにおいて、
前記ボックス支持部材と前記封止材との間には、前記ボックス支持部材の構成材料に比べて前記封止材との接着性が高い材料から成る接着補助部が設けられていることを特徴とする太陽電池モジュール。
【請求項１３】
透光性絶縁基板上に発電部が設けられた太陽電池モジュールの製造方法であって、
前記発電部の少なくとも一部を封止材によって被覆し、
保持部および取り付け部を有するボックス支持部材の前記保持部を前記封止材に保持させた状態で、前記ボックス支持部材の取り付け部に端子ボックス本体を取り付けると共に、前記透光性絶縁基板の外縁から延出したリード線を端子ボックス本体に接続することを特徴とする太陽電池モジュールの製造方法。
【請求項１４】
請求項１３に記載の太陽電池モジュールの製造方法において、
前記封止材の縁部に、前記透光性絶縁基板の外縁から外側へ延出する凸片部を形成しておき、
前記凸片部を、前記透光性絶縁基板の端面に重なるように折り曲げて、この透光性絶縁基板の端面と前記ボックス支持部材との間に凸片部を介在させて、透光性絶縁基板の端面にボックス支持部材を取り付けた後、ボックス支持部材の取り付け部に端子ボックス本体を取り付けることを特徴とする太陽電池モジュールの製造方法。
【請求項１５】
請求項１３または１４に記載の太陽電池モジュールの製造方法において、
前記発電部の少なくとも一部を複数枚の封止材によって被覆し、この封止材上に前記透光性絶縁基板とは別の裏面側絶縁基板を重ね、
前記複数枚の封止材のうち少なくとも１枚の縁部に、前記裏面側絶縁基板の外縁から外側へ延出する凸片部を形成しておき、
少なくとも１枚の封止材の前記凸片部を、前記裏面側絶縁基板の端面に重なるように折り曲げ、絶縁基板の端面と前記ボックス支持部材との間に凸片部を介在させて、絶縁基板の端面にボックス支持部材を取り付けた後、ボックス支持部材の取り付け部に端子ボックス本体を取り付けることを特徴とする太陽電池モジュールの製造方法。
【発明の詳細な説明】
【技術分野】
【０００１】
本発明は、太陽電池モジュール用端子ボックス、および、その端子ボックスを備えた太陽電池モジュール、並びに、その太陽電池モジュールの製造方法に係る。
【背景技術】
【０００２】
従来より太陽電池モジュールとして、例えば特許文献１に開示されているように、矩形状のガラス基板等で成る透光性絶縁基板上に複数の太陽電池セルからなる発電部（集積型太陽電池デバイス）を形成し、この発電部をほぼ全面に亘って樹脂製封止材によって被覆した構造のものが知られている。
【０００３】
この特許文献１に記載のものでは、矩形状の発電部の両端にそれぞれバスバーが直線状に設けられており、一方のバスバーの長手方向の中央部に正極リード線の一端部が接続され、他方のバスバーの長手方向の中央部に負極リード線の一端部が接続されている。そして、これらのリード線は相対向するように発電部の中央に向かって延びた後に、Ｌ字状に立ち上がって端子ボックスに接続されている。つまり、端子ボックスは太陽電池モジュールの裏側のほぼ中央部に配設されている。
【０００４】
また、従来より、２枚の板ガラスの間に太陽電池セルアレイと透光性樹脂のラミネートフィルムとを挟み込んだ、いわゆる合わせガラス構造の太陽電池モジュールも知られている。このような構造の太陽電池モジュールは、光の透過率を比較的高くすることができるので、いわゆる採光型として建物の窓などに使用することが期待されている。
【０００５】
その一例として特許文献２に記載の太陽電池モジュールでは、表裏の板ガラスの間に挟み込むスペーサ部材をモジュール全体の周縁部を取り囲む枠状として、この枠状スペーサ部材に端子ボックスを取り付けている。そして、複数のラミネートフィルムの間から取り出したリード線の接続端を、端子ボックスの端子に接続する構造としている。
【先行技術文献】
【特許文献】
【０００６】
【特許文献１】特開２０００−６８５４２号公報
【特許文献２】特開２００８−２５８２６９号公報
【発明の概要】
【発明が解決しようとする課題】
【０００７】
ところで、特許文献１の従来例のようにガラス基板上に発電部を形成した太陽電池モジュールにおいても、この発電部を被覆する樹脂製封止材の上にさらにガラス基板を重ねて、特許文献２の従来例のように２枚のガラス基板によって発電部などを挟み込む構造とすることがある。この場合、枠状スペーサ部材は省略して、２枚のガラス基板の端縁に直接、端子ボックスを取り付けることが考えられる。
【０００８】
この場合、通常、端子ボックスの材料としてはＰＰＳ（ポリフェニルサルファイド）やＰＰＥ（ポリフェニレンエーテル）、ＰＥＴ（ポリエチレンテレフタレート）などのエンジニアリングプラスチックが用いられているため端子ボックスをガラス基板に接着するための手段が必要になる。例えばシリコーン接着剤などを用いて端子ボックスをガラス基板に接着することが考えられる。
【０００９】
しかし、この場合、接着剤の硬化に要する時間がかなり長くなってしまうことに起因する生産性の観点から実用性に欠けることになる。
【００１０】
また、特許文献１にも記載されているように建物の窓などに使用される太陽電池モジュールには大型化が求められており、これに伴い重量もかなり増加することになる。この場合に、接着剤によって端子ボックスをガラス基板に接着した構成であると、大型の重量物である太陽電池モジュールを施工現場で持ち運ぼうとする際に、作業者が端子ボックスに手を掛けてしまい、大きな力が加わって端子ボックスが離脱してしまう虞がある。
【００１１】
本発明はかかる点に鑑みてなされたもので、その目的は、端子ボックスを透光性絶縁基板の外縁部に配設する工程に要する時間の短縮化を図りながらも、端子ボックスの支持強度の向上を図ることにより、太陽電池モジュールの信頼性を向上させることにある。
【課題を解決するための手段】
【００１２】
前記の課題を解決するための本発明の解決手段は、太陽電池モジュール用端子ボックスであって、ボックス支持部材を備え、このボックス支持部材が、太陽電池モジュールに保持される保持部と、端子ボックス本体が取り付けられる取り付け部とを備える構成としている。
【００１３】
これにより、端子ボックスの取り付けに要する時間の短縮化を図りながらも、高い支持強度で端子ボックスを太陽電池モジュールに支持することができる。
【００１４】
また、一実施形態として、前記保持部は、平板状または柱状となっている。
【００１５】
また、一実施形態として、前記保持部は、凹み部または貫通部を備えている。
【００１６】
これら構成により、太陽電池モジュールによるボックス支持部材の保持状態が安定して得られる。
【００１７】
また、他の解決手段として、透光性絶縁基板上に発電部が設けられた太陽電池モジュールを対象とする。この太陽電池モジュールに対し、前記発電部の少なくとも一部を被覆する封止材と、前記発電部から電力を取り出すための端子ボックス本体と、この端子ボックス本体が取り付けられるボックス支持部材とを備えさせる。そして、前記ボックス支持部材に備えられた保持部が前記封止材に保持され、前記端子ボックス本体が、前記ボックス支持部材に備えられた取り付け部に取り付けられて、前記透光性絶縁基板の外縁部に端子ボックス本体が配設された構成としている。
【００１８】
本解決手段では、ボックス支持部材を使用し、このボックス支持部材の保持部を封止材に保持させることで、このボックス支持部材を透光性絶縁基板の外縁部に高い強度で支持させる。そして、この高い強度で支持されたボックス支持部材の取り付け部に対して端子ボックス本体を取り付けることにより、この端子ボックス本体も高い支持強度で透光性絶縁基板の外縁部に配設されている。上述した如く、シリコーン接着剤などを用いて透光性絶縁基板の外縁部に端子ボックスを取り付ける従来技術の場合には、接着剤の硬化に長い時間を要していた。これに対し、本解決手段によれば、端子ボックス（前記ボックス支持部材および端子ボックス本体）の取り付けに要する時間の短縮化を図りながらも、高い支持強度で端子ボックスを透光性絶縁基板の外縁部に配設することができる。
【００１９】
一実施形態として、前記ボックス支持部材の保持部を、封止材に埋設した状態で保持する構成としている。
【００２０】
これにより、ボックス支持部材の保持部の外面全体が封止材によって保持された状態となり、支持強度をいっそう高く得ることができ、端子ボックスの支持強度も高く得られることになる。
【００２１】
また、一実施形態として、前記封止材の一部を、前記透光性絶縁基板の外縁から外側へ延出して（はみ出させて）、前記透光性絶縁基板の端面と前記ボックス支持部材との間に介在させた構成としている。
【００２２】
この構成によれば、ボックス支持部材の保持部を封止材に保持させるだけでなく、このボックス支持部材と透光性絶縁基板の端面との間に封止材を介在させることで、この封止材がボックス支持部材を透光性絶縁基板の端面に接着させる接着剤としての機能を果たすことになる。つまり、封止材に、ボックス支持部材の保持部を保持する機能と、ボックス支持部材を透光性絶縁基板の端面に接着させる機能とが与えられることになって、ボックス支持部材の支持強度をいっそう高めることができ、端子ボックスの支持強度もいっそう高く得られることになる。
【００２３】
また、一実施形態として、前記封止材上に前記透光性絶縁基板とは別の裏面側絶縁基板を重ね、前記封止材の一部を、前記裏面側絶縁基板の外縁から外側へ延出して、前記裏面側絶縁基板の端面と前記ボックス支持部材との間に介在させる構成とすることも挙げられる。
【００２４】
この場合には、封止材が、ボックス支持部材を裏面側絶縁基板の端面に接着させる接着剤としての機能も果たすことになるため、ボックス支持部材の支持強度をいっそう高めることができ、端子ボックスの支持強度もいっそう高く得られることになる。
【００２５】
また、一実施形態として、前記ボックス支持部材の取り付け部が、前記端子ボックス本体が係合される係合部を備えている。
【００２６】
つまり、ボックス支持部材に対して端子ボックス本体を取り付ける場合には、ボックス支持部材の取り付け部に備えられた係合部に端子ボックス本体を係合することになり、その作業の簡略化を図ることができる。
【００２７】
また、一実施形態として、前記ボックス支持部材の取り付け部を平板状とする。そして、前記端子ボックス本体に、前記取り付け部が挿入される凹陥部を備えさせ、この端子ボックス本体の凹陥部にボックス支持部材の取り付け部を挿入した構成としている。
【００２８】
この構成によれば、ボックス支持部材の形状の簡素化を図ることができる。また、端子ボックス本体の凹陥部に前記取り付け部を挿入して端子ボックス本体を支持することで、端子ボックス本体の脱落を効果的に防止できる。
【００２９】
また、一実施形態として、前記端子ボックス本体の凹陥部と前記ボックス支持部材の取り付け部との間に、これら両者の接着力を高める接着材料を充填することが挙げられる。
【００３０】
この場合にも高い支持強度で端子ボックスを透光性絶縁基板の外縁部に配設することができる。
【００３１】
また、一実施形態として、前記ボックス支持部材の保持部に、凹み部または貫通部を形成しておき、この凹み部または貫通部により、前記封止材が流れ込む空間部を形成することが挙げられる。
【００３２】
この構成によれば、保持部に設けられている空間部内に封止材が流れ込むことで、ボックス支持部材の保持部が封止材から抜け落ちることを確実に阻止でき、端子ボックスの脱落を効果的に防止できる。
【００３３】
また、一実施形態として、前記封止材の材料として具体的にはアイオノマー樹脂が挙げられる。
【００３４】
このアイオノマー樹脂を採用することにより、発電部の絶縁性を十分に確保することが可能になる。また、アイオノマー樹脂は加熱時の流動性があまり高くないため、ラミネート工程などで加熱した場合であっても発電部の絶縁性やリード線の絶縁性を高く確保できる。また、アイオノマー樹脂は、耐候性および耐透水性も高く、封止材として好適である。
【００３５】
また、一実施形態として、前記封止材の適用箇所としては、前記発電部のほぼ全面に亘って設けられている。
【００３６】
このように太陽電池モジュールの発電部のほぼ全面に亘って封止材を設けたことにより、発電部の中央部に封止材の端縁が存在してしまうといったことがなくなり、太陽電池モジュールの外観を良好に得ることができる。特に、光透過型の太陽電池モジュールに適用した場合、その効果は顕著である。
【００３７】
また、一実施形態として、また、前記ボックス支持部材と前記封止材との間に、前記ボックス支持部材の構成材料に比べて前記封止材との接着性が高い材料から成る接着補助部を設けた場合には、封止材によるボックス支持部材の保持性能がいっそう高く得られることになる。
【００３８】
前記太陽電池モジュールの製造方法としては以下のものが挙げられる。
【００３９】
まず、発電部の少なくとも一部を封止材によって被覆し、保持部および取り付け部を有するボックス支持部材の前記保持部を前記封止材に保持させた状態で、ボックス支持部材の取り付け部に端子ボックス本体を取り付けると共に、前記透光性絶縁基板の外縁から延出したリード線を端子ボックス本体に接続する。
【００４０】
また、この場合、前記封止材の縁部に、前記透光性絶縁基板の外縁から外側へ延出する凸片部を形成しておき、前記凸片部を、前記透光性絶縁基板の端面に重なるように折り曲げて、この透光性絶縁基板の端面と前記ボックス支持部材との間に凸片部を介在させて、透光性絶縁基板の端面にボックス支持部材を取り付けた後、ボックス支持部材の取り付け部に端子ボックスを取り付ける製造方法としてもよい。
【００４１】
さらに、前記発電部の少なくとも一部を複数枚の封止材によって被覆し、この封止材上に前記透光性絶縁基板とは別の裏面側絶縁基板を重ね、前記複数枚の封止材のうち少なくとも１枚の縁部に、前記裏面側絶縁基板の外縁から外側へ延出する凸片部を形成しておき、少なくとも１枚の封止材の前記凸片部を、前記裏面側絶縁基板の端面に重なるように折り曲げ、絶縁基板の端面と前記ボックス支持部材との間に凸片部を介在させて、絶縁基板の端面にボックス支持部材を取り付けた後、ボックス支持部材の取り付け部に端子ボックス本体を取り付ける製造方法としてもよい。
【００４２】
これらの製造方法によって製造された太陽電池モジュールによれば、上述した如く、ボックス支持部材を透光性絶縁基板の外縁部に高い強度で支持でき、端子ボックスも高い支持強度で透光性絶縁基板の外縁部に配設することが可能である。また、端子ボックスの取り付けに要する時間の短縮化を図ることもできる。
【発明の効果】
【００４３】
本発明では、端子ボックスの取り付けに要する時間の短縮化を図りながらも、高い支持強度で端子ボックスを太陽電池モジュールに配設することが可能になる。
【図面の簡単な説明】
【００４４】
【図１】実施形態に係る薄膜太陽電池モジュールの構造を示す分解斜視図である。
【図２】薄膜太陽電池モジュールのセル基板を裏面側から見た平面図である。
【図３】同セル基板の発電部の構造を示す図２のＫ−Ｋ線に沿った断面図である。
【図４】同発電部の構造を示す図２のＬ−Ｌ線に沿った断面図である。
【図５】薄膜太陽電池モジュールにおいてリード線の一端部を発電部に接続する構造の拡大断面図である。
【図６】実施形態に係る端子ボックス本体およびボックス支持部材を示す斜視図である。
【図７】端子ボックス本体の取り付け作業を説明するための断面図である。
【図８】薄膜太陽電池モジュールのラミネート工程を説明するための図である。
【図９】変形例１に係る各種ボックス支持部材を示す斜視図である。
【図１０】変形例２に係る端子ボックス本体の取り付け作業を説明するための斜視図である。
【図１１】変形例２に係る端子ボックス本体の取り付け作業を説明するための断面図である。
【図１２】変形例３に係る端子ボックス本体の取り付け作業を説明するための断面図である。
【図１３】変形例４において、図７に示したボックス支持部材の保持部に接着補助部を適用した場合の端子ボックス本体の取り付け作業を説明するための断面図である。
【図１４】変形例４において、図１１に示したボックス支持部材の保持部に接着補助部を適用した場合の端子ボックス本体の取り付け作業を説明するための断面図である。
【図１５】変形例４において、図１１に示したボックス支持部材の保持部および取り付け部に接着補助部を適用した場合の端子ボックス本体の取り付け作業を説明するための断面図である。
【図１６】変形例４において、図１２に示したボックス支持部材の保持部に接着補助部を適用した場合の端子ボックス本体の取り付け作業を説明するための断面図である。
【発明を実施するための形態】
【００４５】
以下、本発明の実施の形態について図面を参照して説明する。本実施形態は、発電部を光が透過するようにして、採光機能を備えたシースルータイプ（光透過型）の薄膜太陽電池モジュールに本発明を適用した場合について説明する。
【００４６】
−薄膜型太陽電池モジュールの全体構成−
図１は、本実施形態に係る薄膜太陽電池モジュールＭの構造を示す分解斜視図である。この図１に示すように、薄膜太陽電池モジュールＭは、薄膜状の太陽電池セルからなる発電部１０を透光性絶縁基板１１の裏面（受光面と反対の面であり、図１では上側の面）上に形成して、セル基板１を構成し、このセル基板１の裏面をほぼ全面に亘って被覆するように熱可塑性樹脂材料からなる複数のシート状の封止材２，３（以下、封止シートという）を重ね、さらにもう一枚の透光性絶縁基板４（本発明でいう裏面側絶縁基板）を重ね合わせてラミネートしたものである。
【００４７】
図２に裏面側、即ち図１の上方から見て示すように透光性絶縁基板１１は、例えば矩形状のガラス基板であって、その裏面上に形成された発電部１０は、詳細は図示しないが複数の太陽電池セルに分割されている。これらの分割された太陽電池セル同士は互いに直列、並列、または直並列に接続されている。なお、図２においては封止シート２，３は省略している。
【００４８】
図３は図２のＫ−Ｋ線に沿った断面図である。また、図４は図２のＬ−Ｌ線に沿った断面図である。これらの図に示すように、一例として発電部１０は、透明な表面電極層１２、光電変換層１３、裏面電極層１４を順に積層した構造である。なお、図３、４においては発電部１０の積層構造が分かり易いように、前記表面電極層１２、光電変換層１３、裏面電極層１４の厚みを誇張して示している
表面電極層１２としては例えばＺｎＯ、ＩＴＯ、ＳｎＣｌ2等の、透光性を有する導電性酸化物を使用することができる。光電変換層１３は、例えば半導体薄膜からなるｐ層、ｉ層、ｎ層が順次積層された構造とすることができ、半導体薄膜としては、例えば、アモルファスシリコン薄膜、結晶性シリコン薄膜、またはこれらを組み合わせたものを使用することができる。
【００４９】
また、裏面電極層１４としては、例えば、ＺｎＯ等の導電性酸化物からなる層と、銀、銀合金等の金属からなる層とを有するものを使用することができる。より一般的な裏面電極層としては、ＺｎＯ／Ａｇを積層したものを例示できる。
【００５０】
そして、図３に表れているように本実施形態の発電部１０には、表面電極層１２を分離する第１の分離ライン１５と、光電変換層１３を分離するコンタクトライン１６と、その光電変換層１３および裏面電極層１４を分離する第２の分離ライン１７と、が形成されており、発電部１０の幅方向（図の左右方向）の両端に位置する裏面電極層１４がそれぞれ集電電極部とされている。
【００５１】
すなわち、図示の例では左端の裏面電極層１４ａが第２の分離ライン１７によって右側の裏面電極層１４ｂから分離されるとともに、コンタクトライン１６を介して表面電極層１２に接続されている。よって、左端の裏面電極層１４ａは表面電極層１２から電力を取り出す正の集電電極部となり、右側の裏面電極層１４ｂは、反対の負の集電電極部となる。これら正負の集電電極部１４ａ，１４ｂには、それぞれ導電性材料（図示せず）によってバスバー１８が接着されている。
【００５２】
このバスバー１８は、一例として平角線の導体にメッキが施されたもので、図１、２に表れているように長方形状の発電部１０の幅方向の両端部付近に、それぞれ直線状に延びるように配設されている。バスバー１８は、前記のように導電性材料によって正負の集電電極部１４ａ，１４ｂと電気的に接続されている一方、詳しくは後述するがリード線５が接続されて、発電部１０からの出力取出し用電極部として機能する。
【００５３】
また、図４に表れているように本実施形態の発電部１０には、受光面から裏面へ光を透過可能とするために、裏面電極層１４および光電変換層１３を除去して表面電極層１２に達する溝部１９（シースルーライン）が形成されている。このシースルーライン１９は、図２に表れているように発電部１０の長手方向に間隔をあけて多数、互いに平行に設けられている。これらシースルーラインの１９の幅や間隔は、必要な光の透過率に応じて決められる。
【００５４】
前記のような構成の発電部１０に重ね合わされる封止シート２，３は、いずれもアイオノマー樹脂によって形成されている（一例として三井・デュポンポリケミカルの商標名ハイミランなど）。アイオノマー樹脂は黄変し難く、比較的長期間に亘って高い透明性を維持し易い上に、耐候性および耐透水性が高いので、太陽電池モジュールＭの封止材として好適である。しかも、アイオノマー樹脂は加熱、加圧した際の流動性がＥＶＡ（Ethylene Vinyl Acetate）などに比べて低いため、後述するラミネート工程でリード線５の絶縁が損なわれる心配が少ない。
【００５５】
このようなアイオノマー樹脂の封止シート２の特長に着目して本実施形態では、発電部１０を被覆する封止シート２上にリード線５を配設している。リード線５は、それ自体はＰＥＴなどの絶縁被覆を有しない帯状の裸導体（例えば銅線）からなり、これを途中で折り返してＬ字状としたものである。絶縁被覆を施さないことからコストの低減が可能であるとともに、折り返し部分での接触面積を確保しやすく、信頼性に優れている。
【００５６】
前記の図１、２に表れているように、正負一対のリード線５，５は、それぞれ発電部１０の長手方向の一端縁（四辺のうちのいずれか一辺の周縁であり、図では右手前の端縁）の近傍にてその一端縁に沿って延びるように配設され、発電部１０の幅方向中央付近にて互いの折り返し部５ａを対向させつつ、概ね一直線状に配置されている。つまり、リード線５，５は、発電部１０の周縁部においてその幅方向に、即ちシースルーライン１９と平行に延びている。
【００５７】
そして、それぞれのリード線５の一端部５ｂは、図５に拡大して示すように下方に折れ曲がって封止シート２の隅部を貫通し、封止シート２に覆われたバスバー１８の一端部１８ａに重ね合わされて、導電性材料（図示せず）などにより接着されている。こうしてバスバー１８に接着されるリード線５の一端部５ｂは、封止シート２とその上から重ね合わされた封止シート３とによって二重に覆われ、リード線５のそれ以外の部分は封止シート２と封止シート３との間に挟まれている。
【００５８】
すなわちリード線５は、互いに重ね合わされて融着一体化されている２枚の封止シート２，３の間に密封されており、発電部１０の長手方向の一端縁に沿うように配設されて、この一端縁における中央付近で２枚の封止シート２、３の間から外方に延出している。この延出部分は、透光性絶縁基板１１，４の一端縁も越えて外方に延びており、以下に説明するように端子ボックス本体６に接続される出力リード部５ｃとなる。
【００５９】
−端子ボックスＢ−
次に、本実施形態に係る薄膜太陽電池モジュールＭの一部を構成し、且つ前記透光性絶縁基板１１，４の外縁部に配設される端子ボックスＢについて説明する。
【００６０】
本実施形態に係る端子ボックスＢは、図１および図６に示すように、端子ボックス本体６とボックス支持部材７とを備えている。以下、端子ボックス本体６およびボックス支持部材７それぞれについて説明する。
【００６１】
−端子ボックス本体６−
この端子ボックス本体６は、例えばＰＰＳ（ポリフェニルサルファイド）やＰＰＥ（ポリフェニレンエーテル）などのエンジニアリングプラスチックを射出成形したもので、前記図１に表れているように、透光性絶縁基板１１，４の外周端面のうち、長手方向の一端面（図１の右手前の端面）の略中央に沿うように、後述するボックス支持部材７を介して配設される。以下、端子ボックス本体６の構成について具体的に説明する。
【００６２】
図６は、本実施形態に係る端子ボックス本体６およびボックス支持部材７を示す斜視図である。この図６に示すように端子ボックス本体６は、細長い直方体形状の樹脂製の箱体であって、その上側が開放されている。なお、この端子ボックス本体６の上側の開口は、ボックス支持部材７に端子ボックス本体６が取り付けられ、この端子ボックス本体６の内部にシリコーン樹脂等の絶縁性樹脂が充填されて気密状態にされた後に図示しないカバーによって閉鎖されることになる。
【００６３】
また、この端子ボックス本体６の各面のうち、透光性絶縁基板１１，４の外周端面に対向する面（より具体的には、取り付け作業時にボックス支持部材７に対向する面）は、ボックス支持部材７を介して透光性絶縁基板１１，４の外周端面に取り付けられる横長の取付面６ａとして構成されている。
【００６４】
この取付面６ａには、ボックス支持部材７に形成されている係合爪７ｃ，７ｃ，７ｃに係合される係合溝６ｂ，６ｂ，６ｂが、その長手方向の複数箇所（本実施形態のものでは３箇所）に形成されている。また、この取付面６ａには、前記リード線５，５の出力リード部５ｃ，５ｃが挿通される貫通孔６ｃ，６ｃが２箇所に形成されている。この貫通孔６ｃ，６ｃの形成位置としては、前記出力リード部５ｃ，５ｃが引き出される位置に対応している。具体的には、前記３箇所に形成されている係合溝６ｂ，６ｂ，６ｂのうち、両端に位置する係合溝６ｂ，６ｂの僅かに内側の位置に貫通孔６ｃ，６ｃはそれぞれ形成されている。つまり、前記係合溝６ｂ，６ｂ，６ｂは、貫通孔６ｃ，６ｃに干渉しない位置、言い換えると前記出力リード部５ｃ，５ｃに干渉しない位置に形成されている。
【００６５】
端子ボックス本体６の内部には、前記貫通孔６ｃ，６ｃから挿入された出力リード部５ｃ，５ｃがそれぞれ接続される接続端子（図示省略）が収容されている。
【００６６】
−ボックス支持部材７−
ボックス支持部材７は、樹脂製または金属製であって、封止シート２，３によって保持される保持部７ａと、前記端子ボックス本体６が取り付けられる取り付け部７ｂとを備えている。つまり、このボックス支持部材７の保持部７ａが封止シート２，３によって保持された状態で、このボックス支持部材７の取り付け部７ｂに端子ボックス本体６が取り付けられることによって、この端子ボックス本体６が透光性絶縁基板１１，４の外縁部に配設されているようになっている。以下、ボックス支持部材７の構成について具体的に説明する。
【００６７】
保持部７ａは、水平方向に延びる矩形状の平板で成り、２枚の封止シート２，３の間に挟み込まれることによって、これら封止シート２，３の間で保持される（図６では、これら封止シート２，３については省略している）。なお、後述するラミネート工程では２枚の封止シート２，３は半溶融状態となって一体化するため、このラミネート工程の終了後には、この保持部７ａは一体化した封止シート２，３の内部に埋設された状態となる。また、この保持部７ａの厚さ寸法としては、この保持部７ａが封止シート２，３の間に保持された際に、これら封止シート２，３の間に空気が存在しないように、また、十分な支持強度が得られる寸法に設定されている。例えば１．０ｍｍ〜３．０ｍｍの間で適宜設定される。この寸法範囲はこれに限定されるものではない。
【００６８】
また、この保持部７ａの長手方向の寸法は、端子ボックス本体６の長手方向の寸法よりも短く設定されている。具体的には、端子ボックス本体６に形成されている前記貫通孔６ｃ，６ｃ（出力リード部５ｃ，５ｃが挿通される貫通孔６ｃ，６ｃ）同士の間隔寸法よりも僅かに短く設定されている。これにより、貫通孔６ｃ，６ｃに出力リード部５ｃを挿通する際に、保持部７ａが邪魔になるといったことはない。
【００６９】
一方、ボックス支持部材７の取り付け部７ｂは、保持部７ａに対して直交する方向（鉛直方向）に延びる矩形状の平板で成っている。具体的に、ボックス支持部材７の取り付け部７ｂは、端子ボックス本体６に対向するボックス取付面７ｂ−１と、各透光性絶縁基板１１，４に対向する基板側取付面７ｂ−２とを有しており、この基板側取付面７ｂ−２から前記保持部７ａが突出している。
【００７０】
また、この取り付け部７ｂのボックス取付面７ｂ−１には、端子ボックス本体６に形成されている前記係合溝６ｂ，６ｂ，６ｂに対応する係合爪７ｃ，７ｃ，７ｃ（本発明でいう係合部）が形成されている。図７に示すように（この図７では、ボックス支持部材７が封止シート２，３の間に埋設されて保持された状態を示している。このボックス支持部材７の保持構造については後述する）係合爪７ｃは、端子ボックス本体６側に向かって水平方向に延びる水平部７ｄと、この水平部７ｄの先端から垂直下方に延びる垂直部７ｅとを備えている。そして、これら水平部７ｄと垂直部７ｅとが端子ボックス本体６の係合溝６ｂに挿入されるように端子ボックス本体６をボックス支持部材７に重ね合わせて、この端子ボックス本体６を上側にスライドさせることで垂直部７ｅが端子ボックス本体６の内面に係合され（図７における矢印を参照）、これにより、端子ボックス本体６がボックス支持部材７に係合されるようになっている。
【００７１】
薄膜太陽電池モジュールＭの設置状態にあっては、図１に示す状態から上下が反転されることになるため、図６に示した端子ボックス本体６の係合構造であっても、この薄膜太陽電池モジュールＭの設置状態において係合爪７ｃが係合溝６ｂが脱落することはないが、端子ボックス本体６の脱落を防止するため（例えば、薄膜太陽電池モジュールＭの運搬時等において端子ボックス本体６の脱落を防止するため）の構成を備えていることが好ましい。例えば、係合溝６ｂの幅寸法を、係合爪７ｃの幅寸法に一致させるか、または、係合爪７ｃの幅寸法よりも僅かに小さくすることで、端子ボックス本体６の脱落を防止するといった構成が挙げられる。また、係合爪７ｃの垂直部７ｅと前記ボックス取付面７ｂ−１との間隔寸法を、端子ボックス本体６の取付面６ａの板厚寸法に一致させるか、または、端子ボックス本体６の板厚寸法よりも僅かに小さくすることで、端子ボックス本体６の脱落を防止するといった構成が挙げられる。
【００７２】
なお、端子ボックス本体６をボックス支持部材７に係合する構成としては、上述したものには限らず、端子ボックス本体６を下側にスライドさせることによって係合させるものや、端子ボックス本体６を水平方向にスライドさせることによって係合させるものなどが適用可能である。
【００７３】
また、このボックス支持部材７の取り付け部７ｂには、前記リード線５の出力リード部５ｃ，５ｃが挿通される貫通孔７ｄ，７ｄが２箇所に形成されている。この貫通孔７ｄ，７ｄの形成位置は、前記端子ボックス本体６の取付面６ａに形成されている貫通孔６ｃ，６ｃの位置に対応している。
【００７４】
なお、前記保持部７ａと取り付け部７ｂとの関係として、保持部７ａは取り付け部７ｂの高さ方向の略中央位置に設けられている。つまり、この保持部７ａの上側に存在する取り付け部７ｂの高さ寸法と、下側に存在する取り付け部７ｂの高さ寸法とが略等しくなっている。これら高さ寸法は、必ずしも一致している必要はなく、必要に応じ（例えば各透光性絶縁基板１１，４の厚さ寸法などに応じ）、保持部７ａが、取り付け部７ｂの高さ方向の略中央位置から上側または下側にずれていてもよい。
【００７５】
−封止シートの凸片部−
本実施形態では、前記透光性絶縁基板１１，４とボックス支持部材７との接合部位に封止シート２，３の一部を介在させるようにしている。すなわち、図１に表れているように封止シート２，３のそれぞれにおいて長手方向の一端縁部（周縁部）には、ボックス支持部材７の長さに対応する帯状の凸片部２ａ，３ａが形成されており、封止シート２、３が透光性絶縁基板１１，４の間に挟み込まれた状態で、この透光性絶縁基板１１，４の一端縁部（周縁部）から凸片部２ａ，３ａがはみ出す（延出する）ようになっている。
【００７６】
そして、図７に拡大して示すように封止シート２の凸片部２ａが下向きに折り曲げられて、透光性絶縁基板１１の外周端面に重ね合わされる一方、封止シート３の凸片部３ａが上向きに折り曲げられて、透光性絶縁基板４の外周端面に重ね合わされている。また、ボックス支持部材７の保持部７ａは封止シート２、３の間に挟み込まれていると共に、前記折り曲げられた凸片部２ａ，３ａを間に挟んで透光性絶縁基板１１，４の外周端面にボックス支持部材７の取り付け部７ｂが接合されている。
【００７７】
すなわち、前記封止シート２，３の凸片部２ａ，３ａは、以下に説明するように薄膜太陽電池モジュールＭのラミネート工程において所定以上の温度状態で加圧されることにより半溶融状態になって流動し、透光性絶縁基板１１，４の外周端面およびボックス支持部材７の取り付け部７ｂに融着する。言い換えると凸片部２ａ，３ａが接着層となって、透光性絶縁基板１１，４の外周端面にボックス支持部材７の取り付け部７ｂを接着させることができる。また、上述した如く、半溶融状態になって流動する封止シート２，３が一体化することによって、ラミネート工程の後には、ボックス支持部材７の前記保持部７ａは封止シート２，３の内部に埋設された状態で保持される。
【００７８】
−薄膜太陽電池モジュールの製造方法の説明−
次に、上述の如き構成の薄膜太陽電池モジュールＭの製造方法の一例を、セル基板１への発電部１０の形成、バスバー１８の配設、リード線５の配線およびラミネートの各工程順に説明する。
【００７９】
（１）発電部の形成およびバスバーの配設
まず、透光性絶縁基板１１上に、表面電極層１２として例えばＳｎＯ2（酸化錫）を熱ＣＶＤ法等で形成する。次に、ＹＡＧレーザの基本波等を用いて表面電極層１２のパターニングを行う。次に、レーザ光をガラス基板面から入射させることにより、表面電極層１２を短冊状に分離して、第１の分離ライン１５を形成した後、純水で超音波洗浄し、光電変換層１３を形成する。光電変換層１３としては、例えば、ａ−Ｓｉ：Ｈｐ層、ａ−Ｓｉ：Ｈｉ層、μｃ−Ｓｉ：Ｈｎ層からなる上部（受光面側）セル、μｃ−Ｓｉ：Ｈｐ層、μｃ−Ｓｉ：Ｈｉ層、μｃ−Ｓｉ：Ｈｎ層からなる下部セルを成膜する。
【００８０】
次に、例えばＹＡＧレーザの第二高調波やＹＶＯ4レーザを用いて、光電変換層１３をレーザでパターニングする。レーザ光をガラス基板面から入射させることにより、光電変換層１３を短冊状に分離し、表面電極層１２と裏面電極層１４とを電気的に接続するためのコンタクトライン１６を形成する。
【００８１】
次に、マグネトロンスパッタ法等により、裏面電極層１４として、ＺｎＯ（酸化亜鉛）／Ａｇを成膜する。ＺｎＯの厚みは５０ｎｍ程度とすることができる。なお、ＺｎＯの代わりに、ＩＴＯやＳｎＯ2等の透光性が高い膜を用いても良い。銀の膜厚は１２５ｎｍ程度とすることができる。なお、裏面電極層１４において前記のＺｎＯ等の透明性導電膜は割愛しても構わないが、高い変換効率を得るためにはあった方が望ましい。
【００８２】
次に、裏面電極層１４をレーザでパターニングする。レーザ光を透光性絶縁基板１１の表面側から入射させて、裏面電極層１４を短冊状に分離し、表面電極層１２まで達する第２の分離ライン１７を形成する。この際、表面電極層１２の透過性の良いＹＡＧレーザの第二高調波等を使用することが好ましく、ＹＶＯ4レーザを用いても構わない。なお、表面電極層１２へのダメージを最小限に抑え、かつ、裏面電極層１４の加工後の銀電極のバリの発生を抑制する加工条件を選択することが望ましい。
【００８３】
次に、シースルーライン１９をレーザでパターニングする。すなわち、前記の第２の分離ライン１７と同じく表面電極層１２の透過性の良いＹＡＧレーザの第二高調波やＹＶＯ4レーザを用い、レーザ光を透光性絶縁基板１１の表面側から入射させて、光電変換層１３および裏面電極層１４を分離し、表面電極層１２にまで達する溝を形成する。
【００８４】
このようにして発電部１０を形成した後に、異方性導電フィルム(ＡＦＣ：Anisotropic Conductive Film)などの導電性テープによって、バスバー１８を裏面電極層１４の所定箇所（集電電極部）に接着する。この際、例えば所定寸法にカットした導電性テープを複数、バスバー１８に接着した上で、このバスバー１８をセル基板１の発電部１０（裏面電極層１４）の両端に載置し加熱、加圧することによって固着させる。尚、導電性テープは所望の特性が得られるものであれば、他の導電性材料を用いる事も可能である。
【００８５】
（２）配線およびラミネート工程
次に、前記のように発電部１０を形成したセル基板１の上に、図１に示すように封止シート２、３を順に重ね合わせる。その後、上側（裏面に近い側）の封止シート３における長手方向の一端側（図の右手前側）を例えば全長の１／４くらい捲り上げて、下側（表面に近い側）の封止シート２の長手方向の一端縁の近傍にリード線５を敷設する。なお、封止シート３を重ねる前に、封止シート２上にリード線５を敷設してもよい。
【００８６】
この際、正負一対のリード線５を互いの折り返し部５ａが対向するようにして概ね一直線状に配置すると、それぞれのリード線５の一端部５ｂが封止シート２の隅部において下方のバスバー１８の一端部１８ａと対向するように位置づけられる。このようにバスバー１８の一端部１８ａと対向する位置には、予めその一端部１８ａを平面視で包含するような大きさの矩形片部２ｂを設定し、この矩形片部２ｂの三辺に沿ってＵ字状のスリット２ｃを形成してある。
【００８７】
図の例では矩形片部２ｂはバスバー１８の延びる方向に長い長方形状とされ、その二つの長辺と封止シート２の端縁に近い一つの短辺とに亘ってＵ字状のスリット２ｃが形成されている。そこで、図示は省略するが矩形片部２ｂをバスバー１８の延びる方向に捲り上げ、このバスバー１８の一端部１８ａを露出させてリード線５の一端部５ｂを接着した後に、捲り上げた矩形片部２ｂを元に戻して、バスバー１８とリード線５との接着部位を上方から覆う。
【００８８】
こうして矩形片部２ｂにより一端部５ｂを覆われた正負一対のリード線５が、それぞれ封止シート２上においてその一端縁の近傍を隅部から中央に向かって延びた後にＬ字状に折り返されていて、それらの出力リード部５ｃが封止シート２の凸片部２ａ上を並んで外方に延出するようになる。
【００８９】
そして、捲り上げていた封止シート３の長手方向一端側を元に戻して封止シート２に重ね、この封止シート２との間にリード線５を挟み込む。
【００９０】
それから封止シート３の上にさらにガラス基板などの透光性絶縁基板４を重ねると、上下２枚の透光性絶縁基板１１，４の長手方向の一端部から封止シート２，３の凸片部２ａ，３ａがそれぞれはみ出し、さらにその凸片部２ａ，３ａの間からリード線５の出力リード部５ｃが延出する。ここで、下側の凸片部２ａを下向きに、また上側の凸片部３ａを上向きにそれぞれ折り曲げて、透光性絶縁基板１１，４の外周端面に重ね合わせ、ここにボックス支持部材７を装着する。この際、ボックス支持部材７の保持部７ａを２枚の封止シート２，３の間に挟み込むと共に、ボックス支持部材７の取り付け部７ｂを、折り曲げられた凸片部２ａ，３ａに押し当てる。この際、ボックス支持部材７の取り付け部７ｂに形成されている貫通孔７ｄ，７ｄに各出力リード部５ｃ，５ｃを挿通しておく。
【００９１】
その後、図示しないゴムバンド、（ゴムシート）などにより透光性絶縁基板１１，４の外周端面にボックス支持部材７を押圧する状態に保持し、このボックス支持部材７を含めた薄膜太陽電池モジュールＭ全体を、図８に示す真空ラミネータ１００のチャンバ１０２内に設置して、ラミネート工程を行う。
【００９２】
図８の例では薄膜太陽電池モジュールＭを真空ラミネータ１００の下側のチャンバ１０２内に載置し、まず、上下両方のチャンバ１０１，１０２内をそれぞれの排気管１０３，１０５の真空ポンプ１０４，１０６によって真空引きする。それから上側のチャンバ１０１に空気を導入することによって、ダイヤフラム１０１ａにより透光性絶縁基板４を上方から加圧する。
【００９３】
そうして加圧した状態で、チャンバ１０２内を所定温度以上に昇温させることによって封止シート２，３を加熱し、その後に冷却して固化させることにより透光性絶縁基板１１，４の間を封止する。この際、透光性絶縁基板１１，４の外周端面およびボックス支持部材７の取り付け部７ｂの間でも封止シート２，３の凸片部２ａ，３ａが半溶融状態になり、その後の冷却および固化によって両者に融着する。つまり、透光性絶縁基板１１，４の外周端面およびボックス支持部材７の取り付け部７ｂを接着させることができる。
【００９４】
このラミネート工程の終了後、ボックス支持部材７に対して端子ボックス本体６を取り付ける。具体的には、上述したように、ボックス支持部材７の係合爪７ｃが端子ボックス本体６の係合溝６ｂの内部に挿入されるように端子ボックス本体６をボックス支持部材７に重ね合わせて、この端子ボックス本体６を上側にスライドさせることで係合爪７ｃの垂直部７ｅが端子ボックス本体６の内面に係合し、これにより、端子ボックス本体６をボックス支持部材７に係合させて、各透光性絶縁基板１１，４の外周端面に端子ボックス本体６が取り付けられることになる。
【００９５】
その後、前記出力リード部５ｃ，５ｃが端子ボックス本体６内の接続端子（図示省略）に接続され、この端子ボックス本体６の内部にシリコーン樹脂等の絶縁性樹脂が充填されて気密状態にされた後に、端子ボックス本体６の上側開口が図示しないカバーによって閉鎖されて薄膜太陽電池モジュールＭが完成する。
【００９６】
−実施形態の作用効果−
以上、説明したように本実施形態の薄膜太陽電池モジュールＭでは、ボックス支持部材７の保持部７ａを封止シート２，３に埋設した状態で保持していることにより、このボックス支持部材７は透光性絶縁基板１１，４の外縁部に高い強度で支持される。そして、この高い強度で支持されたボックス支持部材７の取り付け部７ｂに対して端子ボックス本体６が取り付けられることになるため、この端子ボックス本体６も高い支持強度で透光性絶縁基板１１，４の外縁部に配設されることになる。このため、端子ボックスＢの取り付けに要する時間の短縮化を図りながらも、高い支持強度で端子ボックスＢを透光性絶縁基板１１，４の外縁部に配設することが可能になる。
【００９７】
また、本実施形態では、２枚の透光性絶縁基板１１，４の周縁部からはみ出すように、封止シート２，３の周縁部にそれぞれ凸片部２ａ，３ａを形成し、この凸片部２ａ，３ａを折り曲げて透光性絶縁基板１１，４の外周端面とボックス支持部材７の取り付け部７ｂとの間に挟み込んでいる。このため、この凸片部２ａ，３ａが接着層として機能し、透光性絶縁基板１１，４の外周端面に対するボックス支持部材７の取り付け強度を十分に確保することができ、その結果、端子ボックスＢの取り付け強度も十分に確保することができる。
【００９８】
しかも、透光性絶縁基板１１，４の間に挟み込んだ封止シート２，３を流動化させて、透光性絶縁基板１１，４の間を封止するラミネート工程において、同時にその封止シート２，３の凸片部２ａ，３ａも流動化させ、透光性絶縁基板１１，４の外周端面にボックス支持部材７の取り付け部７ｂを接着させることができるので、工程の簡略化が図られる。
【００９９】
また、リード線５を挟み込む２枚の封止シート２，３をいずれもアイオノマー樹脂によって形成し、両者を融着させて一体化させる構造としているので、透光性絶縁基板１１上の発電部１０から端子ボックス本体６までリード線５を密封することができる。
【０１００】
さらに、本実施形態では、発電部１０のほぼ全面を封止シート２，３により被覆しているので、封止シート２，３のエッジが目につくことがなく、しかも、裸導体のリード線５を矩形状の発電部１０の周縁近傍においてシースルーライン１９と平行に配設しているので、リード線５も目につき難い。よって、シースルータイプとして建物の窓などに使用した場合でも、見栄えを損なう心配は非常に少ない。
【０１０１】
（変形例１）
次に、変形例１について説明する。この変形例は、ボックス支持部材７の保持部７ａを改良したものである。上述した実施形態におけるボックス支持部材７の保持部７ａは平板状であった。これに対し、本変形例におけるボックス支持部材７の保持部７ａには、切り欠き部や、凹部や、貫通孔等（本発明でいう凹み部や貫通部）によって、封止シート２，３が流れ込む空間部が設けられている。
【０１０２】
図９（ａ）〜（ｆ）は、本変形例に係る各種ボックス支持部材７を示す斜視図である。
【０１０３】
図９（ａ）に示すものは、保持部７ａを複数（本変形例では３つ）に分割し、各保持部７ａ，７ａ，７ａの両側面の複数箇所を切り欠くことで溝７ｆ，７ｆ，…を形成したものである。この溝７ｆ，７ｆ，…の内側の空間および各保持部７ａ，７ａ，７ａ同士の間の空間が、封止シート２，３が流れ込む空間部となる。
【０１０４】
図９（ｂ）に示すものは、前記実施形態に係るボックス支持部材７の保持部７ａの側面の複数箇所を切り欠くことで、保持部７ａの長手方向（水平方向）に延びる溝７ｇ，７ｇ，…を形成したものである。この溝７ｇ，７ｇ，…の内側の空間が、封止シート２，３が流れ込む空間部となる。
【０１０５】
図９（ｃ）に示すものは、前記実施形態に係るボックス支持部材７の保持部７ａの側面の複数箇所を切り欠くことで、保持部７ａの長手方向（水平方向）に対して所定角度を有した方向に延びる溝７ｈ，７ｈ，…を形成したものである。なお、この溝７ｈの延長方向としては、保持部７ａの長手方向（水平方向）に対して３０°傾いた方向に設定されている。この溝７ｈ，７ｈ，…の内側の空間が、封止シート２，３が流れ込む空間部となる。また前記角度はこれに限定されるものではなく、適宜設定が可能である。
【０１０６】
図９（ｄ）に示すものは、ボックス支持部材７の保持部７ａを複数本の円柱状（柱状）の部材によって構成したものである。この図９（ｄ）に示すものでは、５本の保持部７ａ，７ａ，…が設けられている。各保持部７ａ，７ａ…同士の間の空間が、封止シート２，３が流れ込む空間部となる。
【０１０７】
図９（ｅ）に示すものは、前記実施形態に係るボックス支持部材７の保持部７ａの複数箇所（図９（ｅ）に示すものでは３箇所）に、この保持部７ａの厚さ方向（上下方向）に貫通する貫通孔７ｉ，７ｉ，７ｉを形成したものである。この貫通孔７ｉ，７ｉ，７ｉの内側の空間が、封止シート２，３が流れ込む空間部となる。
【０１０８】
図９（ｆ）に示すものは、前記図９（ｅ）に示したものに対して、各貫通孔７ｉ，７ｉ，…の内径寸法を小さくすると共に、この貫通孔７ｉ，７ｉ，…の数を増加させたものである。この貫通孔７ｉ，７ｉ，…の内側の空間が、封止シート２，３が流れ込む空間部となる。
【０１０９】
このような保持部７ａの構成によれば、前記ラミネート工程において、切り欠き部や、凹部や、貫通孔等によって形成された空間部に封止シート２，３が流れ込むことになり、封止シート２，３が冷却されて固化した状態では、この封止シート２，３によってボックス支持部材７を確実に保持することができ、ボックス支持部材７が封止シート２，３から脱落してしまうことを確実に阻止でき、端子ボックスＢの脱落を効果的に防止できる。
【０１１０】
（変形例２）
次に、変形例２について説明する。この変形例は、ボックス支持部材７の取り付け部７ｂ、および、この取り付け部７ｂに取り付けられる端子ボックス本体６を改良したものである。
【０１１１】
図１０は、封止シート２，３にボックス支持部材７が保持された状態における端子ボックス本体６の取付作業を示す斜視図である。また、図１１は、この場合の断面図である。
（尚、図１０においては、図６の６ｃ及び７ｄを省略している。）
これらの図に示すように、本変形例におけるボックス支持部材７の取り付け部７ｂのボックス取付面７ｂ−１には、上下方向（薄膜太陽電池モジュールＭの厚さ方向）に延びる２本の係合溝８，８が形成されている。一方、端子ボックス本体６の取付面６ａには、この係合溝８，８に係合される係合凸部９，９が形成されている。以下、具体的に説明する。
【０１１２】
前記ボックス支持部材７の取り付け部７ｂに形成されている前記係合溝８は、この取り付け部７ｂの上端から下端に亘って鉛直方向に延びる底面８ａと、端子ボックス本体６が装着される側（図１１における右側）に向かって内側に傾斜する側面８ｂとを有している。つまり、この係合溝８の溝幅は、この係合溝８の底面８ａから解放側（端子ボックス本体６が装着される側）に向かうに従って次第に狭くなっている。
【０１１３】
一方、前記端子ボックス本体６に形成されている係合凸部９は、前記係合溝８の形状に略合致する形状となっている。つまり、この取付面６ａの上端から下端に亘って鉛直方向に延びる先端面９ａと、係合凸部９の基端側からボックス支持部材７側に向かって外側に傾斜する側面９ｂ，９ｂとを有している。つまり、この係合凸部９の幅寸法は、この係合凸部９の先端面９ａから係合凸部９の基端側に向かうに従って次第に小さくなっている。
【０１１４】
このため、封止シート２，３に保持されたボックス支持部材７に対して端子ボックス本体６を取り付ける際には、図１１に矢印で示すように、端子ボックス本体６をボックス支持部材７の下側から上方に向けて移動させ（または、ボックス支持部材７の上側から下方に向けて移動させ）、端子ボックス本体６の各係合凸部９，９が、ボックス支持部材７の取り付け部７ｂの各係合溝８，８に嵌り込むようにする。そして、各係合凸部９，９の全体が各係合溝８，８に嵌り込んだ状態で端子ボックス本体６を取り付け作業は完了する。その他の構成および作業は上述した実施形態の場合と同様である。
【０１１５】
このようにして、各係合凸部９，９が各係合溝８，８に嵌り込んだ状態では、それぞれの側面８ｂ，９ｂが傾斜していることに起因して、端子ボックス本体６がボックス支持部材７から離脱してしまうことを効果的に阻止でき（ボックス支持部材７のボックス取付面７ｂ−１に対して直交する方向に離脱してしまうことを阻止でき）、端子ボックス本体６の取り付け状態を安定的に得ることができる。
【０１１６】
なお、本変形例におけるボックス支持部材７の保持部７ａの構成としては、上述した実施形態および変形例の何れも適用することが可能である。
【０１１７】
（変形例３）
次に、変形例３について説明する。この変形例は、ボックス支持部材７および端子ボックス本体６の形状が上述した実施形態および変形例のものと異なっている。
【０１１８】
図１２は、封止シート２，３にボックス支持部材７が保持された状態における端子ボックス本体６の取付作業を示す断面図である。
【０１１９】
この図１２に示すように、本変形例におけるボックス支持部材７は、その全体が、前記封止シート２，３に沿って延びる平板状で成っている。つまり、保持部７ａおよび取り付け部７ｂが連続して形成された平板状となっている。
【０１２０】
一方、端子ボックス本体６の取付面６ａには、ボックス支持部材７の取り付け部７ｂが挿入される凹陥部６ｅが形成されている。
【０１２１】
そして、ボックス支持部材７の取り付け部７ｂに対して端子ボックス本体６を取り付けるに際し、端子ボックス本体６の凹陥部６ｅ内にフッ素ゴムなどのブッシュ６ｆ（本発明でいう接着材料）を充填しておき、このブッシュ６ｆに対してボックス支持部材７の取り付け部７ｂが嵌り込むように、端子ボックス本体６をボックス支持部材７に装着することになる。その他の構成および作業は上述した実施形態の場合と同様である。
【０１２２】
本変形例によれば、ボックス支持部材７の形状の簡素化を図ることができ、その製作作業の簡略化を図ることができる。また、ボックス支持部材７を製作した後に、このボックス支持部材７の保持部７ａとなる領域と取り付け部７ｂとなる領域とを必要に応じて変更することが可能になる。つまり、封止シート２，３同士の間にボックス支持部材７を挿入する際に、その挿入した部分が保持部７ａとして機能し、封止シート２，３同士の間に挿入されない部分が取り付け部７ｂとして機能することになる。このため、ボックス支持部材７の使用形態の多様化を図ることができる。
【０１２３】
（変形例４）
次に、変形例４について説明する。この変形例は、封止シート２，３とボックス支持部材７との間に、これら両者の接着性を高く得るための接着補助部を設けたものである。
【０１２４】
この接着補助部としては、例えば、ガラスシートやガラス繊維シート、エポキシ樹脂系シート若しくはガラス繊維テープ、フィラメントテープ、エポキシ樹脂系テープをボックス支持部材７の少なくとも保持部７ａに接着すればよく、ガラスシートやガラス繊維シートをボックス支持部材７の少なくとも保持部７ａにインモールド成形してもよい。また、カーボングラファイト・プレート、ガラスエポキシプレート、金属製プレート、エポキシ樹脂系プレートなどをインサート成形してもよい。
【０１２５】
図１３は、図７に示した例に対してボックス支持部材７の保持部７ａに接着補助部Ａを適用したものである。
【０１２６】
図１４は、図１１に示した例に対してボックス支持部材７の保持部７ａに接着補助部Ａを適用したものである。
【０１２７】
また、図１５は、図１１に示した例に対してボックス支持部材７の保持部７ａおよび取り付け部７ｂに接着補助部Ａを適用したものである。
【０１２８】
さらに、図１６は、図１２に示した例に対してボックス支持部材７の保持部７ａに接着補助部Ａを適用したものである。
【０１２９】
このように封止シートとボックス支持部材７との間に接着補助部Ａを設けたことにより、封止シートとボックス支持部材７との接着性を高めることで、透光性絶縁基板１１，４の外周端面へのボックス支持部材７の接着力が大きくなるので、端子ボックスＢの取り付け強度の確保に有利になる。
【０１３０】
なお、前記接着補助部は、ボックス支持部材７と端子ボックス本体６との間における接着性を高く得るものとして利用することも可能である。例えば、図１２に示した例に対してブッシュ６ｆの表面に接着補助部を適用するといった構成である。
【０１３１】
（他の実施形態）
以上、説明した実施形態および変形例は、本発明をシースルータイプの薄膜太陽電池モジュールＭとして具現化した場合について説明したが、本発明はこれに限らず、シースルータイプ以外の薄膜太陽電池モジュールにも適用可能であり、また、薄膜型以外の太陽電池モジュールにも適用可能である。また、前記の実施形態および変形例における発電部１０の構成なども単なる例示に過ぎず、本発明を限定するものではない。
【０１３２】
また、前記の実施形態および変形例では、封止シート３の上に透光性絶縁基板４を重ね、各封止シート２，３の凸片部２ａ，３ａを折り曲げた後に、ボックス支持部材７の保持部７ａを２枚の封止シート２，３の間に挟み込むようにしていた。本発明に係る製造方法はこれに限定されず、封止シート３の上に透光性絶縁基板４を重ねる前に、各封止シート２，３の凸片部２ａ，３ａを折り曲げながらボックス支持部材７の保持部７ａを２枚の封止シート２，３の間に挟み込むようにしてもよい。
【０１３３】
また、前記の実施形態および変形例では、ボックス支持部材７に端子ボックス本体６を取り付ける前にラミネート工程を行うようにしていた。本発明に係る製造方法はこれに限定されず、ボックス支持部材７に端子ボックス本体６を取り付けた後にラミネート工程を行うようにしてもよい。
【０１３４】
また、前記の実施形態および変形例では、透光性絶縁基板１１上の発電部１０のほぼ全面を被覆する封止シート２，３にそれぞれ凸片部２ａ，３ａを設けているが、凸片部は、発電部１０の一部分を覆うような封止シートに設けてもよい。すなわち、例えば封止シート２については発電部１０の長手方向の一端側のみを覆うような大きさにし、その凸片部２ａに対応するような凸片部を有する別の封止シートを上から重ねる。そして、その上から発電部１０の全面を覆う封止シート３には凸片部３ａを設けないようにしてもよい。なお、凸片部を設ける封止シートが１枚のこともあり得る。また、本発明においては、必ずしも封止シート２，３に凸片部は必要ではない。
【０１３５】
また、封止シート２，３の樹脂材料もアイオノマー樹脂には限定されず、絶縁性を有する熱可塑性樹脂材料であれば、例えば一般的なＥＶＡ（エチレン−酢酸ビニル共重合体）やＰＶＢ（ポリビニルブチラール）などを用いてもよい。封止シート２をアイオノマー樹脂によって形成し、封止シート３はＥＶＡなど別な材料で形成してもよいが、凸片部が端子ボックス本体６の平面部６ａに接着される２枚の封止シートについては同じ樹脂材料とすることが好ましい。
【０１３６】
また、前記の実施形態および変形例ではリード線５自体には絶縁被覆を施していないが、これにも限定されず、絶縁被覆の施されたリード線を用いてもよいし、封止シート２上のリード線５の配設場所や配設方向についても前記の実施形態には限定されない。
【産業上の利用可能性】
【０１３７】
本発明に係る太陽電池モジュールはガラス基板等、透光性絶縁基板の周縁部に簡単に端子ボックスを取り付けることができ、しかも十分な強度及び信頼性を確保することができるので、産業上の利用性は高い。
【符号の説明】
【０１３８】
Ｍ           薄膜太陽電池モジュール
１           セル基板
１０         発電部
１１         透光性絶縁基板
２，３       封止シート（封止材）
２ａ，３ａ   凸片部
４           透光性絶縁基板（裏面側絶縁基板）
５           リード線
５ｃ         出力リード部
６           端子ボックス本体
６ｂ        係合溝
６ｅ        凹陥部
６ｆ        ブッシュ（接着材料）
７          ボックス支持部材
７ａ        保持部
７ｂ        取り付け部
７ｃ        係合爪（係合部）
Ａ          接着補助部
Ｂ          端子ボックス
【図１】
2014027139.tif 000003
【図２】
2014027139.tif 000004
【図３】
2014027139.tif 000005
【図４】
2014027139.tif 000006
【図５】
2014027139.tif 000007
【図６】
2014027139.tif 000008
【図７】
2014027139.tif 000009
【図８】
2014027139.tif 000010
【図９】
2014027139.tif 000011
【図１０】
2014027139.tif 000012
【図１１】
2014027139.tif 000013
【図１２】
2014027139.tif 000014
【図１３】
2014027139.tif 000015
【図１４】
2014027139.tif 000016
【図１５】
2014027139.tif 000017
【図１６】
2014027139.tif 000018